(57)【特許請求の範囲】
【請求項１】
ロール状の記録紙に印字するプリンタ装置において、
底面部と、前記底面部に対して垂直方向に設けられ、前記記録紙が通る開口部が設けられた正面部と、前記底面部に対して垂直方向に設けられ、前記正面部に対して曲げられている少なくとも１つの側面部とを有する金属製のメインフレームと、
前記正面部の一方の面の側において前記メインフレームに取り付けられ、前記記録紙を挟んで案内する記録紙ガイドユニットと、
前記正面部の他方の面の側に取り付けられ、前記記録紙に印字を行うプリンタメカユニットと、
前記メインフレームの、前記記録紙ガイドユニットが設けられている側に設けられ、前記記録紙への印字及び搬送を制御する制御基板ユニットと、
一方の側で前記側面部に接続されるアームユニットと、
前記アームユニットの他方の側に接続される給紙軸ユニットと、
を有し、
前記記録紙は前記給紙軸ユニットにより保持されるものであって、
前記給紙軸ユニットに保持される前記記録紙は、前記記録紙ガイドユニットを介して前記正面部に設けられた前記開口部を通り、前記プリンタメカユニットに供給されるものであることを特徴とするプリンタ装置。
【請求項２】
前記メインフレームは、前記正面部の少なくとも一方の面の側に、前記正面部に対し略垂直に折り曲げられた側面部を有しており、
前記アームユニットの一方の側は、前記側面部に接続されていることを特徴とする請求項１に記載のプリンタ装置。
【請求項３】
前記アームユニットを２つ有しており、
前記メインフレームは、前記正面部に略垂直に設けられた側面部を前記正面部の両側に有しており、
一方の前記アームユニットは、一方の前記側面部に接続されており、
他方の前記アームユニットは、他方の前記側面部に接続されていることを特徴とする請求項１に記載のプリンタ装置。
【請求項４】
前記アームユニットには、前記記録紙の残量を検出するニアエンド検出ユニットを有していることを特徴とする請求項１から３のいずれかに記載のプリンタ装置。
【請求項５】
前記メインフレームには、前記正面部の一方の面の側に、前記正面部及び前記側面部と接続される底面部を有しており、
前記記録紙ガイドユニットは前記底面部に接続されるものであることを特徴とする請求項１から４のいずれかに記載のプリンタ装置。
【請求項６】
前記プリンタメカユニットは、前記記録紙に印字を行なうプリンタユニットと、前記記録紙を切断するカッターユニットとを有しており、
前記プリンタユニットと前記カッターユニットとは分離することができるものであることを特徴とする請求項１から５のいずれかに記載のプリンタ装置。
【請求項７】
前記記録紙は感熱紙であって、前記プリンタメカユニットはサーマルヘッドを有していることを特徴とする請求項１から６のいずれかに記載のプリンタ装置。
【請求項８】
前記制御基板ユニットは、前記記録紙ガイドユニットの上に、前記正面部に沿って設置されていることを特徴とする請求項１から７のいずれかに記載のプリンタ装置。
【発明の詳細な説明】
【技術分野】
【０００１】
本発明は、プリンタ装置に関する。
【背景技術】
【０００２】
レシート等を発行するプリンタは、商店等のレジスタ、銀行等におけるＡＴＭ（Automated Teller Machine）やＣＤ（Cash dispenser）等の用途に幅広く用いられている。
【０００３】
このようなレシート等を発行するプリンタは、記録紙となる感熱紙がロール状に巻かれており、記録紙を搬送しながらサーマルヘッド等により記録紙に印字等を行ない、所定の長さまで記録紙を搬送した後、カッターで所定の長さで記録紙を切断するものである。
【先行技術文献】
【特許文献】
【０００４】
【特許文献１】特開２００３−１９８４５号公報
【特許文献２】特開２００７−１３０８４２号公報
【発明の概要】
【発明が解決しようとする課題】
【０００５】
ところで、このようなプリンタは、複数の部品により形成されているが、用途に応じて必要な部品等が異なるため、用途に適したプリンタを用途に応じて作り分ける必要がある。このように用途に対応してプリンタを作り分けることは、製造の際に混乱を招きやすく、製造工程も複雑となるため、製造の際に負担となっていた。また、プリンタにおいて、故障等が生じた場合、故障等の生じている部分のみを容易に交換することができれば、メンテナンスも容易となり、修理の時間等を短くすることができる。
【０００６】
本発明は、上記に鑑みてなされたものであり、製造の際に負担となることなく、用途に応じて容易に作り分けることが可能なプリンタ装置、故障等が生じている際にもメンテナンスが容易な構造のプリンタ装置を提供することを目的とするものである。
【課題を解決するための手段】
【０００７】
本発明は、ロール状の記録紙に印字するプリンタ装置において、底面部と、前記底面部に対して垂直方向に設けられ、前記記録紙が通る開口部が設けられた正面部と、前記底面部に対して垂直方向に設けられ、前記正面部に対して曲げられている少なくとも１つの側面部とを有する金属製のメインフレームと、前記正面部の一方の面の側において前記メインフレームに取り付けられ、前記記録紙を挟んで案内する記録紙ガイドユニットと、前記正面部の他方の面の側に取り付けられ、前記記録紙に印字を行うプリンタメカユニットと、前記メインフレームの、前記記録紙ガイドユニットが設けられている側に設けられ、前記記録紙への印字及び搬送を制御する制御基板ユニットと、一方の側で前記側面部に接続されるアームユニットと、前記アームユニットの他方の側に接続される給紙軸ユニットと、を有し、前記記録紙は前記給紙軸ユニットにより保持されるものであって、前記給紙軸ユニットに保持される前記記録紙は、前記記録紙ガイドユニットを介して前記正面部に設けられた前記開口部を通り、前記プリンタメカユニットに供給されるものであることを特徴とする。
【０００８】
また、本発明は、前記メインフレームは、前記正面部の少なくとも一方の面の側に、前記正面部に対し略垂直に折り曲げられた側面部を有しており、前記アームユニットの一方の側は、前記側面部に接続されていることを特徴とする。
【０００９】
また、本発明は、前記アームユニットを２つ有しており、前記メインフレームは、前記正面部に略垂直に設けられた側面部を前記正面部の両側に有しており、一方の前記アームユニットは、一方の前記側面部に接続されており、他方の前記アームユニットは、他方の前記側面部に接続されていることを特徴とする。
【００１０】
また、本発明は、前記アームユニットには、前記記録紙の残量を検出するニアエンド検出ユニットを有していることを特徴とする。
【００１１】
また、本発明は、前記メインフレームには、前記正面部の一方の面の側に、前記正面部及び前記側面部と接続される底面部を有しており、前記記録紙ガイドユニットは前記底面部に接続されるものであることを特徴とする。
【００１２】
また、本発明は、前記プリンタメカユニットは、前記記録紙に印字を行なうプリンタユニットと、前記記録紙を切断するカッターユニットとを有しており、前記プリンタユニットと前記カッターユニットとは分離することができるものであることを特徴とする。
【００１３】
また、本発明は、前記記録紙は感熱紙であって、前記プリンタメカユニットはサーマルヘッドを有していることを特徴とする。
また、本発明は、前記制御基板ユニットは、前記記録紙ガイドユニットの上に、前記正面部に沿って設置されていることを特徴とする。
【発明の効果】
【００１４】
本発明によれば、製造の際に負担となることなく、用途に応じてプリンタを容易に作り分けることが可能なプリンタ装置、故障等が生じている際にもメンテナンスが容易な構造のプリンタ装置を提供することができる。
【図面の簡単な説明】
【００１５】
【図１】第１の実施の形態におけるプリンタ装置を構成するユニットの説明図
【図２】メインフレームの斜視図
【図３】メインフレームに記録紙ガイドユニットが接続されているものの斜視図
【図４】メインフレームに記録紙ガイドユニット及び制御基板ユニットが接続されているものの斜視図
【図５】記録紙ガイドユニットにおける制御基板ユニットが接続される部分の拡大図
【図６】メインフレームに記録紙ガイドユニット及び制御基板ユニットが接続されているものの上面図
【図７】メインフレームに記録紙ガイドユニット及び制御基板ユニットが接続されているものの上面斜視図
【図８】第１の実施の形態におけるプリンタ装置の構造図
【図９】第１の実施の形態におけるプリンタ装置の斜視図（１）
【図１０】第１の実施の形態におけるプリンタ装置の斜視図（２）
【図１１】第１の実施の形態におけるカッターユニットが取り外された状態のプリンタ装置の斜視図
【図１２】ニアエンド検出ユニットの説明図（１）
【図１３】図１２の要部拡大図
【図１４】ニアエンド検出ユニットの説明図（２）
【図１５】図１４の要部拡大図
【図１６】第２の実施の形態におけるプリンタ装置の斜視図（１）
【図１７】第２の実施の形態におけるプリンタ装置の斜視図（２）
【図１８】図１６の要部拡大図
【図１９】図１７の要部拡大図
【図２０】プリンタ装置における記録紙の弛みの説明図
【図２１】第３の実施の形態におけるプリンタ装置の記録紙の弛みの説明図
【発明を実施するための形態】
【００１６】
本発明を実施するための形態について、以下に説明する。尚、同じ部材等については、同一の符号を付して説明を省略する。
【００１７】
〔第１の実施の形態〕
（プリンタ装置の構造）
第１の実施の形態におけるプリンタ装置について説明する。本実施の形態におけるプリンタ装置は、プリンタ装置を複数のユニットにより構成したものであり、各々のユニットを交換等することにより、所望の用途に容易に作りかえることができる構造のものである。即ち、通常、プリンタ装置は、複数の部品により構成されているが、用途によって必要な部品が異なるため、プリンタ装置を作り分けることは、製造工程が複雑なものとなり、製造の際に混乱を招きやすい。
【００１８】
本実施の形態におけるプリンタ装置は、機能ごとにユニット化されており、これらのユニットを組み合わせ組み立てることにより、所望のプリンタ装置を作製することができる。即ち、用途に応じて必要となるユニットを取り付けることにより、用途に応じたプリンタ装置を容易に作り分けることができる。また、このように複数のユニットを組み合わせることによりプリンタ装置が構成されているため、故障等が生じた場合においても、故障等の生じているユニットをユニットごと交換することにより、修理等のメンテナンス時間を短くすることができる。これにより、故障等によりプリンタ装置が使用のできない時間を短くすることができ、プリンタ装置の稼働率の低下をできるだけ抑えることができる。
【００１９】
図１に基づき、本実施の形態におけるプリンタ装置について説明する。本実施の形態におけるプリンタ装置は、メインフレーム１０、プリンタメカユニット２０、記録紙ガイドユニット３０、制御基板ユニット４０、アームユニット５０、ニアエンド検出ユニット６０、給紙軸ユニット７０、カバー８０を有している。
【００２０】
メインフレーム１０は、金属等の強度を有する材料により形成されており、記録紙が排紙される正面部１１と、正面部１１に対し略垂直に曲げられることにより形成された側面部１２とを有している。正面部１１には、排出される記録紙が通ることのできる開口部１３が設けられており、記録紙が排紙される際には、正面部１１の一方の面の側から他方の面の側に向かって記録紙が開口部１３内を通る。
【００２１】
プリンタメカユニット２０は、プリンタユニット２１とカッターユニット２２を有しており、カッターユニット２２とプリンタユニット２１とを分離し、容易に取り外すことができる。本実施の形態におけるプリンタ装置では、記録紙としてロール状に巻かれた感熱紙が用いられており、プリンタユニット２１は、記録紙に印字等するための不図示のサーマルヘッド、記録紙を搬送するモータ及びプラテンローラ等を有している。また、カッターユニット２２は、プリンタユニット２１において印字等された記録紙を所定の長さに切断するものであり、不図示の固定刃と可動刃を有しており、可動刃が可動することにより記録紙が切断される。
【００２２】
記録紙ガイドユニット３０は、ロール状の記録紙を挟み込み、メインフレーム１０の開口部１３を通し、プリンタメカユニット２０の印刷ユニット２１に導くためのものである。
【００２３】
制御基板４０は、プリント基板等に電子部品が搭載されているものであり、プリンタメカユニット２０等における記録紙への印字、記録紙の搬送、記録紙の切断等の制御を行なう。
【００２４】
アームユニット５０は、後述する給紙軸ユニット７０に取り付けられたロール状の記録紙を保持するためのものであり、一方向に長く形成されている。長く形成されたアームユニット５０の一方は、メインフレーム１０の側面部１２に接続されており、他方には給紙軸ユニット７０が接続されている。
【００２５】
ニアエンド検出ユニット６０は、ロール状の記録紙の残量を検出するためのものであり、アームユニット５０と給紙軸ユニット７０の間、または、アームユニット５０において、給紙軸ユニット７０と接続される側に接続されている。
【００２６】
給紙軸ユニット７０は、記録紙を保持するためのものであり、ロール状に巻かれた記録紙の中央の開口部分に給紙軸ユニット７０を貫通させて記録紙を保持する。給紙軸ユニット７０は、アームユニット５０に面に対し、給紙軸ユニット７０が略垂直となるように接続されている。
【００２７】
カバー８０は、メインフレーム１０の上部を覆うように設置されるものである。
【００２８】
（メインフレーム）
次に、図２に基づき本実施の形態におけるプリンタ装置のメインフレーム１０について説明する。本実施の形態におけるメインフレーム１０は、上述したように、開口部１３が設けられた正面部１１、側面部１２、側面部１４、底面部１５を有している。側面部１４は正面部１１と接しており、側面部１２が設けられている側とは反対側に設けられており、正面部１１に対し略垂直に曲げることにより形成されている。従って、側面部１２と側面部１４とは略平行となる。底面部１５は、側面部１２、１４及び正面部１１と接している。本実施の形態では、底面部１５と正面部１１とは略垂直となっており、底面部１５と側面部１２、１４とは、各々略垂直となっている。このようにして、側面部１２、１４及び底面部１５は、正面部１１の一方の面の側に設けられている。
【００２９】
このようなメインフレーム１０では、直方体の形状を構成している６面のうち４面に、正面部１１、側面部１２及び１４、底面部１５が形成されているため、残りの２面より各々ユニットをメインフレーム１０等に接続することができる。このため、正面部１１、側面部１２、１４及び底面部１５には、他のユニットを接続するためのネジ穴等が設けられている。
【００３０】
（製造方法）
本実施の形態におけるプリンタ装置は、メインフレーム１０に各々のユニットを接続することにより製造することができる。
【００３１】
最初に、図３に示すように、メインフレーム１０の底面部１５に記録紙ガイドユニット３０を接続する。記録紙ガイドユニット３０は、底面部１５にネジ留めすることにより接続されており、記録紙が記録紙ガイドユニット３０の上部ガイド部３１と下部ガイド部３６との間より入り、更には、メインフレーム１０の一方の面の側の開口部１３に入るように接続される。
【００３２】
次に、図４に示すように、制御基板ユニット４０を記録紙ガイドユニット３０に接続する。具体的には、図５に示すように、記録紙ガイドユニット３０の上部には、制御基板ユニット４０を設置するための凹状の制御基板固定部４７ａ、４７ｂと凸状の制御基板押え部４７ｃが設けられている。従って、制御基板ユニット４０を取り付ける際には、制御基板ユニット４０を凹状の制御基板固定部４７ａ、４７ｂに嵌め込み、制御基板押え部４７ｃにより制御基板ユニット４０の傾きを押えて、ネジ４８ａによりメインフレーム１０の側面部１４に設けられた接続部４８ｂに固定し接続する。尚、接続部４８ｂは、側面部１４に対し略直角に曲げられており、ネジ４８ａに対応する形状のネジ穴４８ｃが設けられている。
【００３３】
このように形成されたものの上面図を図６に示し、上方向から見た斜視図を図７に示す。図６に示されるように、記録紙ガイドユニット３０は、メインフレーム１０の底面部１５にネジ１９ａ及び１９ｂによりネジ留めされることにより接続されている。
【００３４】
次に、図８に示すように、メインフレーム１０の側面部１２にアームユニット５０を接続する。アームユニット５０は、図１等に示されるように、メインフレーム１０の側面部１２に、アームユニット５０の一方の側をネジ５８ａ及び５８ｂによりネジ留めすることにより固定され接続される。また、アームユニット５０の他方の側には、給紙軸ユニット７０がネジ５８ｃにより、回転可能な状態で接続される。尚、アームユニット５０と給紙軸ユニット７０との間には、ニアエンド検出ユニット６０が設置されている。
【００３５】
更に、メインフレーム１０の正面部１１の他方の面の側に、プリンタメカユニット２０を接続する。プリンタメカユニット２０は、メインフレーム１０の正面部１１の他方の側に、図１等に示されるネジ２８ａ及び２８ｂによりネジ留めすることにより固定され接続される。
【００３６】
このように各々のユニットを接続することにより製造された本実施の形態におけるプリンタ装置の斜視図を図９及び図１０に示す。尚、図９及び図１０は、給紙軸ユニット７０に記録紙９０が設置されている状態を示すものであり、図９は、前面方向から見た斜視図であり、図１０は、背面方向から見た斜視図である。本実施の形態におけるプリンタ装置では、アームユニット５０が１つであり、給紙軸ユニット７０の両端のうち片方のみがアームユニット５０と接続されているものであり、片持ちタイプのプリンタ装置と称されるものである。
【００３７】
また、本実施の形態におけるプリンタ装置では、図１１に示すように、プリンタメカユニット２０において、カッターユニット２２とプリンタユニット２１とに容易に分離することができる。このためカッターユニット２２が接続されていない状態においても、プリンタ装置として使用することが可能である。
【００３８】
以上のように、本実施の形態におけるプリンタ装置では、メインフレーム１０に各々のユニットを接続することにより作製される。よって、用途等に応じて各々ユニットを取り付けることにより、用途に適したプリンタ装置に容易に作り分けることができる。また、故障等が生じた際にもユニットごと交換することができるため、修理等のメンテナンスを迅速に行なうことができる。即ち、プリンタメカユニット２０、記録紙ガイドユニット３０、アームユニット５０は、メインフレーム１０に直接接続されているため、用途に応じたプリンタ装置の作り分けや修理等のメンテナンスを容易に行なうことができる。
【００３９】
（ニアエンド検出ユニット）
本実施の形態におけるプリンタ装置では、ニアエンド検出ユニットとして、図１２及び図１３に示すような光学式のニアエンド検出ユニット６０ａや、図１４及び図１５に示すような機械式のニアエンド検出ユニット６０ｂを接続することが可能である。アームユニット５０には、光学式のニアエンド検出ユニット６０ａ及び機械式のニアエンド検出ユニット６０ｂとの接続のための接続端子部５１が設けられており、接続端子部５１との接続により、容易にニアエンド検出ユニットの交換や取り付け等を行なうことができる。尚、図１３は、図１２の要部拡大図であり、図１５は、図１４の要部拡大図である。
【００４０】
〔第２の実施の形態〕
次に、本実施の形態におけるプリンタ装置について説明する。本実施の形態におけるプリンタ装置は、アームユニットを２つ有する、両持ちタイプとのプリンタ装置と称されるものである。
【００４１】
図１６から図１９に示されるように、本実施の形態におけるプリンタ装置は、第１の実施の形態におけるアームユニット５０に代えて、２つのアームユニット５５及び５６を設けた構造のものであり、これ以外の構造等については第１の実施の形態のプリンタ装置と同様である。
【００４２】
本実施の形態におけるプリンタ装置では、メインフレーム１０の側面部１２にはアームユニット５５が接続されており、側面部１４にはアームユニット５６が接続されている。アームユニット５５は、アームユニット５５の一方の側でメインフレーム１０の側面部１２に接続されており、アームユニット５６は、アームユニット５６の一方の側でメインフレーム１０の側面部１４に接続されている。アームユニット５５の他方の側には凹部５５ａが設けられており、アームユニット５６の他方の側には凹部５６ａが設けられており、給紙軸ユニット７０の両端は、凹部５５ａ及び凹部５６ａにおいて保持されている。このようにして、給紙軸ユニット７０は回転可能な状態で保持されている。尚、図１６は、側面部１４側から見た斜視図であり、図１７は、側面部１２側から見た斜視図であり、図１８は、図１６の要部拡大図であり、図１９は図１７の要部拡大図である。
【００４３】
本実施の形態では、アームユニット５０からアームユニット５５及び５６に変更することができるため、容易に片持ちタイプのプリンタ装置から両持ちタイプのプリンタ装置に変更することができる。また、メインフレーム１０にアームユニット５０を接続するか、アームユニット５５及び５６を接続するかにより、片持ちタイプのプリンタ装置と両持ちタイプのプリンタ装置との作り分けを容易に行なうことが可能であり、プリンタ装置の用途に応じた作り分けが容易となる。
【００４４】
尚、本実施の形態では、アームユニットについて説明したが、他のユニット、例えば、制御基板ユニットやプリンタメカユニットを取り付ける場合においても同様であり、複数の制御基板ユニットやプリンタメカユニットを用意しておき、所望の仕様にあわせて組み立てることにより、用途に応じたプリンタ装置の作り分けを容易に行なうことができる。
【００４５】
〔第３の実施の形態〕
次に、第３の実施の形態について説明する。本実施の形態は、プリンタメカユニット２０内に設けられている不図示のモータの制御方法である。このモータの制御は制御基板ユニット４０において行なわれる。
【００４６】
プリンタメカユニット２０内に設けられている不図示のモータにより、図２０（ａ）に示すように、記録紙の搬送を加速させた後、一定速度で搬送し、記録紙への印字停止とともに、モータによる記録紙の搬送を同時に停止させた場合には、図２０（ｂ）に示すように、ロール状に巻かれた記録紙９０の外側の部分９０ａは、大きく弛んだ状態となってしまう。
【００４７】
本実施の形態におけるプリンタ装置では、このような記録紙の弛みを減らすことを目的とするものである。具体的には、図２１（ａ）に示すように、記録紙の搬送を加速させた後、一定速度で搬送し、記録紙への印字停止に対応してモータによる記録紙の搬送速度を徐々に減速させながら停止させる。このように、プリンタメカユニット２０内に設けられている不図示のモータを制御基板ユニット４０により制御することにより、図２１（ｂ）に示すように、ロール状に巻かれた記録紙９０の外側の部分９０ｂにおける弛みを少なくすることができる。
【００４８】
以上、本発明の実施に係る形態について説明したが、上記内容は、発明の内容を限定するものではない。
【符号の説明】
【００４９】
１０        メインフレーム
１１        正面部
１２        側面部
１３        開口部
１４        側面部
１５        底面部
２０        プリンタメカユニット
２１        プリンタユニット
２２        カッターユニット
３０        記録紙ガイドユニット
４０        制御基板ユニット
５０        アームユニット
６０        ニアエンド検出ユニット
７０        給紙軸ユニット
８０        カバー
【図１】
0005986716.tif 000002
【図２】
0005986716.tif 000003
【図３】
0005986716.tif 000004
【図４】
0005986716.tif 000005
【図５】
0005986716.tif 000006
【図６】
0005986716.tif 000007
【図７】
0005986716.tif 000008
【図８】
0005986716.tif 000009
【図９】
0005986716.tif 000010
【図１０】
0005986716.tif 000011
【図１１】
0005986716.tif 000012
【図１２】
0005986716.tif 000013
【図１３】
0005986716.tif 000014
【図１４】
0005986716.tif 000015
【図１５】
0005986716.tif 000016
【図１６】
0005986716.tif 000017
【図１７】
0005986716.tif 000018
【図１８】
0005986716.tif 000019
【図１９】
0005986716.tif 000020
【図２０】
0005986716.tif 000021
【図２１】
0005986716.tif 000022